(57)【要約】【課題】グループの管理者がグループ内の産業機械の全体の状況を容易に把握することができる産業機械管理装置を提供する。【解決手段】複数の射出成形機Ｍの管理を行う産業機械管理装置１０であって、あらかじめ決められた基準によってグループに分類された複数の射出成形機Ｍの単体の生産に関する情報に基づいて、グループに属する射出成形機Ｍの全体の生産に関する情報の統計量を管理情報として算出する管理情報算出部２０と、グループの管理情報を表示する表示部１６と、を有する。【選択図】図１
2018094888.tif 000002
【特許請求の範囲】
【請求項１】
複数の産業機械の管理を行う産業機械管理装置であって、
あらかじめ決められた基準によってグループに分類された前記複数の産業機械の単体の生産に関する情報に基づいて、前記グループに属する前記産業機械の全体の生産に関する情報の統計量を管理情報として算出する管理情報算出部と、
前記グループの前記管理情報を表示する表示部と、
を有する、産業機械管理装置。
【請求項２】
請求項１に記載の産業機械管理装置であって、
前記複数の産業機械は、階層毎に異なる前記基準によってグループに分類され、
最上位の階層では、１つの前記グループにすべての前記複数の産業機械が属し、前記最上位の階層に対する下位の階層では、１つ上位の階層の前記１つのグループに属する前記複数の産業機械が１つまたは複数の前記グループに属する、産業機械管理装置。
【請求項３】
請求項２に記載の産業機械管理装置であって、
前記階層に属する前記グループと、前記グループに属する前記産業機械とを対応付けて記憶する記憶部を有する、産業機械管理装置。
【請求項４】
請求項３に記載の産業機械管理装置であって、
前記記憶部は、前記産業機械の属性として、前記階層毎に前記産業機械が属する前記グループに登録された情報を記憶する、産業機械管理装置。
【請求項５】
請求項２〜４のいずれか１項に記載の産業機械管理装置であって、
前記複数の階層のうち、前記階層を選択する階層選択部を有し、
前記表示部は、前記階層選択部において選択された前記階層の前記グループ毎に前記管理情報を表示する、産業機械管理装置。
【請求項６】
請求項５に記載の産業機械管理装置であって、
前記階層選択部は、前記産業機械管理装置を操作する操作者の識別情報に基づいて、前記階層を選択する、産業機械管理装置。
【請求項７】
請求項１〜６のいずれか１項に記載の産業機械管理装置であって、
前記基準は、前記産業機械が設置される工場、前記産業機械が属するライン、前記産業機械の機種、前記産業機械の仕様、前記産業機械の種類、前記産業機械で使用される材料の種類、前記産業機械で製造される製造品の種類、前記産業機械を管理する管理者のうち、いずれか１つまたは複数を組み合わせたものである、産業機械管理装置。
【請求項８】
請求項１〜７のいずれか１項に記載の産業機械管理装置であって、
前記グループを選択するグループ選択部を有し、
前記表示部は、前記グループ選択部において選択された前記グループの前記管理情報を表示する、産業機械管理装置。
【請求項９】
請求項８に記載の産業機械管理装置であって、
前記グループ選択部は、前記産業機械管理装置を操作する操作者の識別情報に基づいて、前記グループを選択する産業機械管理装置。
【請求項１０】
請求項１〜９のいずれか１項に記載の産業機械管理装置であって、
前記グループ毎に、前記表示部を有する産業機械管理装置。
【請求項１１】
請求項１〜１０のいずれか１項に記載の産業機械管理装置であって、
前記管理情報算出部は、前記管理情報として、前記グループに属する前記産業機械の全体の稼働率、前記グループに属する前記産業機械の消費電力の合計、前記グループに属する前記産業機械で使用された材料の量の合計、前記グループに属する前記産業機械で製造された製造品の個数の合計、前記グループに属する前記産業機械で製造された製造品の良品率もしくは不良品率、前記グループに属する前記産業機械で作業を行った作業員の作業時間の合計うち、少なくとも１つを算出する産業機械管理装置。
【請求項１２】
請求項１〜１１のいずれか１項に記載の産業機械管理装置であって、
前記産業機械は、射出成形機である産業機械管理装置。
【請求項１３】
請求項１または２に記載の産業機械管理装置を前記グループ毎に設けた産業機械管理システム。
【発明の詳細な説明】
【技術分野】
【０００１】
本発明は、複数台の産業機械を管理する産業機械管理装置および産業機械管理システムに関する。
【背景技術】
【０００２】
従来から複数台の産業機械を管理するシステムが提案されている。例えば、下記特許文献１には、工場内の複数台の射出成形機を管理する管理装置が備えられ、各射出成形機の稼働状況を画面に表示するものが開示されている。また、下記特許文献２には、複数台の射出成形機を管理するセンサ管理端末装置が備えられ、射出成形機をグループ分けし、グループ毎に各射出成形機の運転状態を表示するものが開示されている。
【先行技術文献】
【特許文献】
【０００３】
【特許文献１】特開２００３−００１６８８号公報
【特許文献２】特開２００４−１６４０２３号公報
【発明の概要】
【発明が解決しようとする課題】
【０００４】
上記特許文献１および特許文献２の技術では、グループ内の射出成形機（産業機械）の個々の情報は表示されるが、グループを管理する管理者は、グループ内の産業機械の個々の情報からだけでは、グループ内の産業機械の全体の状況を把握することが難しかった。
【０００５】
本発明は、上記の問題を解決するためになされたものであり、グループの管理者がグループ内の産業機械の全体の状況を容易に把握することができる産業機械管理装置および産業機械管理システムを提供することを目的とする。
【課題を解決するための手段】
【０００６】
本発明の態様は、産業機械管理装置は、あらかじめ決められた基準によってグループに分類された複数の産業機械の単体の生産に関する情報に基づいて、前記グループに属する前記産業機械の全体の生産に関する情報の統計量を管理情報として算出する管理情報算出部と、前記グループの前記管理情報を表示する表示部と、を有する。
【発明の効果】
【０００７】
本発明によれば、管理者はグループ内の産業機械の全体的な状況を容易に把握することができる。
【図面の簡単な説明】
【０００８】
【図１】産業機械管理装置の構成を示すブロック図である。
【図２】グループの例を示す図である。
【図３】表示部の表示例を示す図である。
【図４】グループ選択ボタンの例を示す図である。
【図５】表示部の表示例を示す図である。
【図６】産業機械管理装置の構成を示すブロック図である。
【図７】階層毎のグループと、各グループに属する射出成形機の対応を示す表である。
【図８】各射出成形機に設定する属性を示すテーブルである。
【図９】階層選択ボタンの例を示す図である。
【図１０】第１レイヤが選択されたときの表示部の表示例である。
【図１１】第２レイヤが選択されたときの表示部の表示例である。
【図１２】第３レイヤが選択されたときの表示部の表示例である。
【図１３】第４レイヤが選択されたときの表示部の表示例である。
【図１４】操作者の識別情報と、選択される階層またはグループとの対応を示す表である。
【図１５】工場内に産業機械管理装置を複数台設けた例を示す図である。
【発明を実施するための形態】
【０００９】
以下、発明の実施の形態を通じて本発明を説明する。下記の実施の形態は特許請求の範囲に係る発明を限定するものではない。実施の形態の中で説明されている特徴の組み合わせのすべてが発明の解決手段に必須であるとは限らない。
【００１０】
〔第１の実施の形態〕
［産業機械管理装置の構成］
図１は産業機械管理装置１０の構成を示すブロック図である。産業機械管理装置１０は、工場内に設置された多数の射出成形機Ｍの管理を行うための装置である。以下、特定の射出成形機Ｍについて記載する場合には、射出成形機Ｍ１等と記載する。
【００１１】
産業機械管理装置１０は、例えばパーソナルコンピュータ等であるが、他のデジタルコンピュータであってもよい。産業機械管理装置１０は、制御部１２、入力部１４および表示部１６を有している。産業機械管理装置１０は、各射出成形機Ｍとネットワーク２６により接続し、相互に情報を通信する。ネットワーク２６は、例えばＬＡＮ等であるが、有線、無線に関わらず、また通信する信号がデジタル信号であるかアナログ信号であるかに関わらず、産業機械管理装置１０と各射出成形機Ｍとの間で相互通信を行うことが可能であるものであればよい。
【００１２】
制御部１２は、例えばＣＰＵであるが、マイクロプロセッサ等、他のプロセッサであってもよい。入力部１４は、例えばキーボードであるが、マウス、カードリーダ、タッチパネル等の他の入力デバイスであってもよい。表示部１６は、例えば液晶ディスプレイであるが、ブラウン管ディスプレイ、有機ＥＬディスプレイ等の他のディスプレイであってもよい。
【００１３】
制御部１２は、記憶部１８、管理情報算出部２０および表示制御部２２を有している。制御部１２は、加えてグループ選択部２４を有するようにしてもよい。記憶部１８は、複数の射出成形機Ｍがどのグループに属しているかの情報を記憶している。グループについては、後に詳述する。管理情報算出部２０は、射出成形機Ｍの単体の生産に関する情報に基づき、グループに属する射出成形機Ｍの全体の生産に関する情報の統計量を管理情報として算出する。管理情報については後に詳述する。表示制御部２２は、管理情報算出部２０において算出された管理情報等を、表示部１６に表示させるための制御信号を演算し、表示部１６に出力する。以下では、表示制御部２２によって表示部１６が制御されている旨の記載はしないが、以下では特に断らない限り、表示部１６は表示制御部２２によって制御されている。グループ選択部２４は、操作者が入力部１４を操作することにより指定したグループを選択する。
【００１４】
［グループについて］
工場内の複数の射出成形機Ｍは、あらかじめ決められた基準によってグループに分類されている。本実施の形態の産業機械管理装置１０は、グループ毎にそのグループに属する射出成形機Ｍの全体の管理情報を、表示部１６に表示するものである。以下にグループについて説明する。図２はグループの例を示す図である。工場内の複数の射出成形機Ｍは、成形される成形品の種類や品目に応じて設定されるライン毎に管理される。図２は、工場に設置されている１０台の射出成形機Ｍ１〜Ｍ１０をラインを基準として分類した例を示す。ライン（１）の射出成形機Ｍ１〜Ｍ３はグループ（１）に分類され、ライン（２）の射出成形機Ｍ４〜Ｍ８はグループ（２）に分類され、ライン（３）の射出成形機Ｍ９、Ｍ１０はグループ（３）に分類されている。
【００１５】
［管理情報算出部］
管理情報算出部２０は、各グループ（１）〜（３）に属する射出成形機Ｍの単体の生産に関する情報から、各グループ（１）〜（３）に属する射出成形機Ｍの全体の生産に関する情報を算出する。
【００１６】
射出成形機Ｍの単体の生産に関する情報とは、例えば、各射出成形機Ｍが自動運転中、手動運転中、停止中等の運転状態を示す。グループ（１）〜（３）の射出成形機Ｍの全体の生産に関する情報の統計量とは、例えば、各グループ（１）〜（３）に属する射出成形機Ｍの全体の稼働率である。図２に示す例では、グループ（１）に射出成形機Ｍ１〜Ｍ３が属している。そして、射出成形機Ｍ１の運転状態が「自動運転中」であって、射出成形機Ｍ２および射出成形機Ｍ３の運転状態が「停止中」である。このとき管理情報算出部２０は、グループ（１）に属する射出成形機Ｍ１〜Ｍ３の全体の稼働率を３３［％］と算出する。以下、射出成形機Ｍの単体の生産に関する情報を、単体情報と記載することがある。また、グループに属する射出成形機Ｍの全体の生産に関する情報の統計量を、管理情報と記載することがある。
【００１７】
単体情報として他に、射出成形機Ｍの単体の消費電力、生産数、消費樹脂量、成形品の良品率、個別の射出成形機Ｍを担当する作業員の作業時間等がある。また管理情報として他に、各グループに属する射出成形機Ｍの全体の消費電力の合計、生産数の合計、消費樹脂量の合計、成形品の良品率、作業時間の合計等がある。
【００１８】
［表示部］
図３は、表示部１６の表示例を示す図である。図３に示すように、表示部１６は、グループ（１）〜（３）毎に欄を設け、各グループ（１）〜（３）に属する各射出成形機Ｍの単体情報と、各グループ（１）〜（３）の管理情報とを表示する。図３では、表示部１６は、各グループ（１）〜（３）の各射出成形機Ｍの単体情報として運転状態を表示し、管理情報として稼働率を表示している。なお、表示部１６は、各射出成形機Ｍの単体情報については表示しないようにしてもよい。
【００１９】
［変形例１］
上記の図３では表示部１６はすべてのグループ（１）〜（３）の情報を表示していたが、表示部１６は、グループ選択部２４により選択されたグループの情報のみを表示するようにしてもよい。
【００２０】
図４は、表示部１６に表示されるグループ選択ボタン２８の例を示す図である。グループ選択ボタン２８は、例えば、表示部１６に表示されるボタン型のアイコンである。操作者が、入力部１４を操作することにより、例えば表示部１６の画面上の「グループ（２）」のボタンをクリックする等により、グループ（２）を指定する。グループ選択部２４は、指定されたグループ（２）を選択する。
【００２１】
図５は表示部１６の表示例を示す図である。グループ選択部２４がグループ（２）を選択すると、表示部１６は選択されたグループ（２）の情報のみを表示する。図５の例では、表示部１６は、グループ（２）の欄のみを設け、グループ（２）に属する各射出成形機Ｍ４〜Ｍ８の単体情報と、グループ（２）の管理情報とを表示する。表示部１６は、各射出成形機Ｍ４〜Ｍ８の単体情報については表示しないようにしてもよい。なお、グループ選択部２４は複数のグループを選択するようにしてもよい。その場合、表示部１６は選択された複数のグループの情報を表示する。
【００２２】
なお、グループ選択ボタン２８は、表示部１６に表示されるものに限らず、操作者が指で押圧することにより操作される機械的に構成されたボタンであってもよい。また、グループ選択部２４は、操作者が産業機械管理装置１０にログインするときに入力部１４を用いて入力した操作者ＩＤから、自動的に操作者が管理を担当しているグループを選択するものであってもよい。さらにグループ選択部２４は、各操作者が携帯しているＩＣカード内に記憶されている操作者の識別情報を入力部１４によって読み取り、自動的に操作者が管理を担当しているグループを選択するものであってもよい。
【００２３】
［作用効果］
例えば、ラインの管理者であるライン長がライン（グループ）を管理するためには、管理するグループの射出成形機Ｍの全体の稼働率、消費電力の合計、生産数の合計、消費樹脂量の合計、成形品の良品率、作業時間の合計等の情報が必要であるが、従来では、このような情報を提示するものはなく、グループに属する各射出成形機Ｍの単体情報を表示するだけであった。単体情報が表示されても、管理者はグループの射出成形機Ｍの全体の状況を一目で把握することは難しかった。
【００２４】
本実施の形態では、産業機械管理装置１０は、あらかじめ決められた基準によってグループに分類された複数の射出成形機Ｍの単体の生産に関する情報に基づいて、グループに属する射出成形機Ｍの全体の生産に関する情報の統計量を管理情報として算出する管理情報算出部２０と、グループの管理情報を表示する表示部１６と、を有する。これにより、グループの管理者は、グループの射出成形機Ｍの全体の状況を一目で把握することができる。
【００２５】
また、産業機械管理装置１０は、グループを選択するグループ選択部２４を有し、表示部１６は、グループ選択部２４において選択されたグループの管理情報を表示する。これにより１つのグループの射出成形機Ｍの管理情報を表示部１６に表示することができる。
【００２６】
また、グループ選択部２４は、産業機械管理装置１０を操作する操作者の識別情報に基づいて、グループを選択する。これにより、操作者が管理を担当するグループの管理情報を自動的に表示部１６に表示することができる。
【００２７】
管理情報算出部２０は、管理情報として、グループに属する産業機械の全体の稼働率、グループに属する産業機械の消費電力の合計、グループに属する産業機械で使用された材料の量の合計、グループに属する産業機械で製造された製造品の個数の合計、グループに属する産業機械で製造された製造品の良品率もしくは不良品率、グループに属する産業機械で作業を行った作業員の作業時間の合計のうち、少なくとも１つを算出する。これにより、管理者が管理する対象の射出成形機Ｍに応じた管理情報を算出することができる。
【００２８】
産業機械管理装置１０により射出成形機Ｍを管理する。工場に多数設置される射出成形機Ｍの管理に、産業機械管理装置１０を適用することにより、管理者の労力を低減することができる。
【００２９】
〔第２の実施の形態〕
［産業機械管理装置の構成］
図６は産業機械管理装置１０の構成を示すブロック図である。制御部１２に階層選択部３０を設けてもよい。階層選択部３０は、操作者が入力部１４を操作することにより指定した階層を選択する。また、記憶部１８において記憶されるグループは、階層化されている。
【００３０】
［グループの階層化］
工場内の多数の射出成形機Ｍは、例えば、工場長、ライン長、保守作業者、作業者等の様々な資格の管理者によって、それぞれの責任範囲に応じて、異なる管理が行われている。例えば、工場長は工場全体の射出成形機Ｍを管理し、ライン長は成形される成形品の種類や品目に応じて設定されるライン毎に射出成形機Ｍを管理し、保守作業者は機種に応じて射出成形機Ｍを管理し、作業者は各射出成形機Ｍを管理する。そこで本実施の形態の産業機械管理装置１０では、管理者の資格に応じて射出成形機Ｍのグループの分類を複数の方法で行うために、管理者の資格に応じて階層を設定するようにした。
【００３１】
図７は階層毎のグループと、各グループに属する射出成形機Ｍの対応を示す表である。図７の例では、第１レイヤ、第２レイヤ、第３レイヤおよび第４レイヤの４つの階層が設定されている。
【００３２】
第１レイヤでは、射出成形機Ｍが設置されている工場を基準として、射出成形機Ｍがグループに分類されている。つまり、工場内のすべての射出成形機Ｍ１〜Ｍ１０は１つのグループＡに分類されている。第２レイヤでは、１つ上位の階層（第１レイヤ）の１つのグループＡに属する射出成形機Ｍ１〜Ｍ１０が、射出成形機Ｍが属するラインを基準として、グループ（１）〜（３）に分類されている。具体的には、射出成形機Ｍ１〜Ｍ３がグループ（１）に、射出成形機Ｍ４〜Ｍ８がグループ（２）に、射出成形機Ｍ９、Ｍ１０がグループ（３）に分類されている。
【００３３】
第３レイヤでは、１つ上位の階層（第２レイヤ）のグループ（１）に属する射出成形機Ｍ１〜Ｍ３、グループ（２）に属する射出成形機Ｍ４〜Ｍ８、グループ（３）に属する射出成形機Ｍ９、Ｍ１０が、射出成形機Ｍの機種を基準として、グループａ〜ｆに分類されている。第４レイヤでは、１台毎の射出成形機Ｍのグループ１〜１０に分類されている。記憶部１８は、各階層のグループと、各グループの属する射出成形機Ｍとを記憶している。
【００３４】
上記では、工場、ライン、射出成形機Ｍの機種を基準として、射出成形機Ｍが分類されているが、上記に限らず、射出成形機Ｍの仕様（例えば、型締力や射出容量等）、射出成形機Ｍの種類（横型成形機、竪型成形機、二材成形機等）、射出成形機Ｍで使用される材料の種類（ポリカーボネート、ポリプロピレン、アクリロニトリル・ブタジエン・スチレン等）、射出成形機Ｍで成形される成形品の種類（ギヤ、コネクタ、レンズ等）、各射出成形機Ｍを管理する作業員等のうち、いずれか１つまたは複数を組み合わせたものを基準として、射出成形機Ｍが分類されていてもよい。
【００３５】
記憶部１８は、階層に属するグループと、グループに属する射出成形機Ｍとを対応付けて記憶する。図８は各射出成形機Ｍに設定する属性を示すテーブルである。記憶部１８は、図８に示すように、各射出成形機Ｍの属性として、階層毎に射出成形機Ｍが属するグループが登録されたテーブルを記憶するようにしてもよい。
【００３６】
［表示部］
表示部１６は、階層選択部３０により選択された階層の情報を表示する。図９は、表示部１６に表示される階層選択ボタン３２の例を示す図である。階層選択ボタン３２は、例えば、表示部１６に表示されるボタン型のアイコンである。操作者が、入力部１４を操作することにより、例えば表示部１６の画面上の「第２レイヤ」のボタンをクリックする等により、第２レイヤを指定する。階層選択部３０は、指定された第２レイヤを選択する。階層選択部３０が第２レイヤを選択すると、表示部１６は前述の図３に示すような表示を行う。なお、階層選択部３０は複数の階層を選択するようにしてもよい。その場合、表示部１６は選択された複数の階層の情報を表示する。
【００３７】
なお、階層選択ボタン３２は、表示部１６に表示されるものに限らず、操作者が指で押圧することにより操作される機械的に構成されたボタンであってもよい。また、階層選択部３０は、操作者が産業機械管理装置１０にログインするときに入力部１４を用いて入力した操作者ＩＤ（識別情報）から、自動的に操作者の資格に応じた階層を選択するものであってもよい。さらにグループ選択部２４は、各操作者が携帯しているＩＣカード内に記憶されている操作者の識別情報を入力部１４によって読み取り、自動的に操作者の資格に応じた階層を選択するものであってもよい。
【００３８】
［各階層の表示例］
図１０は、階層選択部３０により第１レイヤが選択されたときの表示部１６の表示例である。図１１は、階層選択部３０により第２レイヤが選択されたときの表示部１６の表示例である。図１２は、階層選択部３０により第３レイヤが選択されたときの表示部１６の表示例である。図１３は、階層選択部３０により第４レイヤが選択されたときの表示部１６の表示例である。
【００３９】
階層選択部３０において第１レイヤが選択されたときには、図１０に示すように、表示部１６はグループＡに対応する欄を設け、グループＡに属する各射出成形機Ｍの単体情報と、グループＡの管理情報とを表示する。図１０の例では、表示部１６は、単体情報として各射出成形機Ｍの運転状態を表示し、管理情報として消費電力の合計を表示する。
【００４０】
また、階層選択部３０において第２レイヤが選択されたときには、図１１に示すように、表示部１６は、グループ（１）〜（３）毎に欄を設け、各グループ（１）〜（３）に属する各射出成形機Ｍの単体情報と、各グループ（１）〜（３）の管理情報とを表示する。図１１の例では、表示部１６は、単体情報として各射出成形機Ｍの運転状態を表示し、グループ（１）、（２）の管理情報として稼働率を表示し、グループ（３）の管理情報として生産数の合計を表示する。
【００４１】
また、階層選択部３０において第３レイヤが選択されたときには、図１２に示すように、表示部１６は、グループａ〜ｆ毎に欄を設ける。表示部１６は、複数台の射出成形機Ｍが属するグループｂ、ｃ、ｄ、ｆについては、各射出成形機Ｍの運転状態と、各グループｂ、ｃ、ｄ、ｆの管理情報とを表示する。図１２の例では、表示部１６は、単体情報として各射出成形機Ｍの運転状態を表示し、グループｂの管理情報として良品率を表示し、グループｃ、ｄの管理情報として稼働率を表示し、グループｆの管理情報として消費樹脂量の合計を表示する。表示部１６は、１つの射出成形機Ｍが属するグループａ、ｅについては、射出成形機Ｍの単体情報が２つ表示される。１つは射出成形機Ｍの運転状態であり、他の１つは良品率である。
【００４２】
また、階層選択部３０において第４レイヤが選択されたときには、図１３に示すように、表示部１６は、グループ１〜１０毎に欄を設け、各射出成形機Ｍの単体情報を表示する。図１３の例では、各射出成形機Ｍの単体情報が２つ表示される。１つは各射出成形機Ｍの運転状態である。他の１つは、各グループ１〜１０で情報の内容が異なり、グループ１、６、９では消費樹脂量、グループ２、３、８では作業員への作業指示、グループ４、１０では射出成形機Ｍの良品率、グループ５、７では作業員の作業時間である。ここで、作業員への作業指示は、例えば、異常により射出成形機Ｍが停止しているときに、作業員に射出成形機Ｍの復旧を促す指示や、射出成形機Ｍに投入されている樹脂材料の量が低下したときに、作業員に樹脂材料の供給を促す指示等である。
【００４３】
［変形例２］
表示部１６は、第１の実施の形態では、グループ選択部２４により選択されたグループに属する射出成形機Ｍの情報を表示し、第２の実施の形態では、階層選択部３０により選択された階層の各グループに属する射出成形機Ｍの情報を表示するようにした。
【００４４】
階層選択部３０またはグループ選択部２４が選択する階層またはグループの選択は、産業機械管理装置１０を操作する操作者の識別情報に応じて適宜行ってよい。図１４は、操作者の識別情報（操作者名、操作者ＩＤ、資格）と、選択される階層またはグループとの対応を示す表である。
【００４５】
例えば、操作者が「佐藤」であった場合には、階層選択部３０は「佐藤」が工場長として管理する射出成形機Ｍ１〜Ｍ１０が含まれる第１レイヤを選択する。また操作者が「鈴木」であった場合には、グループ選択部２４は「鈴木」が保守作業員として管理するグループａ、ｃを選択する。さらに操作者が「山田」であった場合には、グループ選択部２４は「山田」が作業員として管理するグループ４、７、８を選択する。
【００４６】
［作用効果］
複数の射出成形機Ｍは、階層毎に異なる基準によってグループに分類され、最上位の階層では、１つのグループにすべての複数の産業機械が属し、最上位の階層に対する下位の階層では、１つ上位の階層の１つのグループに属する複数の産業機械が１つまたは複数のグループに属する。管理者によって管理する射出成形機Ｍの単位が異なり、管理する射出成形機Ｍの単位に応じたグループの分類を行うことができる。
【００４７】
産業機械管理装置１０は、階層に属するグループと、グループに属する産業機械とを対応付けて記憶する記憶部１８を有する。記憶部１８は、射出成形機Ｍの属性として、階層毎に射出成形機Ｍが属するグループに登録された情報を記憶する。階層毎に異なる基準によりグループに分類された射出成形機Ｍを記憶部１８に記憶することができる。
【００４８】
また、産業機械管理装置１０は、複数の階層のうち、１つの階層を選択する階層選択部３０を有し、表示部１６は、階層選択部３０において選択された１つの階層のグループ毎に管理情報を表示する。これにより、操作者の資格に応じたグループの分類を行ったグループの管理情報を表示部１６に表示することができる。
【００４９】
さらに、階層選択部３０は、産業機械管理装置１０を操作する操作者の識別情報に基づいて、１つの階層を選択する。これにより、操作者が管理するグループの管理情報を自動的に表示部１６に表示することができる。
【００５０】
また、射出成形機Ｍを分類する基準は、射出成形機Ｍが設置される工場、射出成形機Ｍが属するライン、射出成形機Ｍの機種、射出成形機Ｍの仕様、射出成形機Ｍの種類、射出成形機Ｍで使用される材料の種類、射出成形機Ｍで製造される製造品の種類、射出成形機Ｍを管理する管理者のうち、いずれか１つまたは複数を組み合わせたものである。これにより、管理者が管理する対象の射出成形機Ｍに応じてグループの分類を行うことができる。
【００５１】
〔第３の実施の形態〕
産業機械管理装置１０は工場内に１台設けるようにしてもよいし、複数台設けるようにしてもよい。図１５は工場内に産業機械管理装置１０を複数台設けた例を示す図である。図１５の例では、産業機械管理装置１０を各グループに１台および各射出成形機Ｍに１台設け、産業機械管理システム３４を構成している。ただし、グループａ、ｅおよびグループ１〜１０には１台の射出成形機Ｍしか属していないため、管理情報算出部２０を有しない別の産業機械管理装置３６が設けられる。また、表示部１６のみを、各グループに１台および各射出成形機Ｍに１台設けるようにしてもよい。
【００５２】
［作用効果］
グループ毎に、グループに属する産業機械の全体の管理情報を算出する産業機械管理装置１０を有する。これにより、管理情報等の算出処理を分散させることができ、それぞれの産業機械管理装置１０の負荷を低減することができる。
【００５３】
また、グループ毎に、表示部１６を有する。これにより、各グループまたは各射出成形機Ｍ１〜Ｍ１０の管理者が各グループに属する射出成形機Ｍに近い場所で、表示部１６に表示される情報を確認することができる。
【００５４】
〔他の実施の形態〕
以上、本発明を第１の実施の形態〜第３の実施の形態に基づいて説明してきたが、各発明の具体的な構成は実施の形態に限定されるものではなく、発明の要旨を逸脱しない範囲の設計変更等があっても、本発明に含まれる。
【００５５】
以上、本発明を実施の形態を用いて説明したが、本発明の技術的範囲は上記実施の形態に記載の範囲には限定されない。上記実施の形態に、多様な変更または改良を加えることが可能であることはもちろんである。その様な変更または改良を加えた形態も本発明の技術的範囲に含まれ得ることが、特許請求の範囲の記載から明らかである。
【符号の説明】
【００５６】
１０…産業機械管理装置                  １６…表示部
１８…記憶部                            ２０…管理情報算出部
２４…グループ選択部                    ３０…階層選択部
３４…産業機械管理システム              Ｍ１〜Ｍ１０…射出成形機
【図１】
2018094888.tif 000003
【図２】
2018094888.tif 000004
【図３】
2018094888.tif 000005
【図４】
2018094888.tif 000006
【図５】
2018094888.tif 000007
【図６】
2018094888.tif 000008
【図７】
2018094888.tif 000009
【図８】
2018094888.tif 000010
【図９】
2018094888.tif 000011
【図１０】
2018094888.tif 000012
【図１１】
2018094888.tif 000013
【図１２】
2018094888.tif 000014
【図１３】
2018094888.tif 000015
【図１４】
2018094888.tif 000016
【図１５】
2018094888.tif 000017
【手続補正書】
【提出日】平成30年4月9日(2018.4.9)
【手続補正１】
【補正対象書類名】明細書
【補正対象項目名】０００２
【補正方法】変更
【補正の内容】
【０００２】
従来から複数台の産業機械を管理するシステムが提案されている。例えば、下記特許文献１には、工場内の複数台の射出成形機を管理する管理装置が備えられ、各射出成形機の稼働状況を画面に表示するものが開示されている。また、下記特許文献２には、複数台の射出成形機を管理するセンタ管理端末装置が備えられ、射出成形機をグループ分けし、グループ毎に各射出成形機の運転状態を表示するものが開示されている。
【手続補正２】
【補正対象書類名】明細書
【補正対象項目名】００４７
【補正方法】変更
【補正の内容】
【００４７】
産業機械管理装置１０は、階層に属するグループと、グループに属する産業機械とを対応付けて記憶する記憶部１８を有する。記憶部１８は、射出成形機Ｍの属性として、階層毎に射出成形機Ｍが属するグループが登録された情報を記憶する。階層毎に異なる基準によりグループに分類された射出成形機Ｍを記憶部１８に記憶することができる。
【手続補正３】
【補正対象書類名】特許請求の範囲
【補正対象項目名】全文
【補正方法】変更
【補正の内容】
【特許請求の範囲】
【請求項１】
複数の産業機械の管理を行う産業機械管理装置であって、
あらかじめ決められた基準によってグループに分類された前記複数の産業機械の単体の生産に関する情報に基づいて、前記グループに属する前記産業機械の全体の生産に関する情報の統計量を管理情報として算出する管理情報算出部と、
前記グループの前記管理情報を表示する表示部と、
前記グループを選択するグループ選択部と、
を有し、
前記表示部は、前記グループ選択部において選択された前記グループの前記管理情報を表示する、産業機械管理装置。
【請求項２】
請求項１に記載の産業機械管理装置であって、
前記複数の産業機械は、階層毎に異なる前記基準によってグループに分類され、
最上位の階層では、１つの前記グループにすべての前記複数の産業機械が属し、前記最上位の階層に対する下位の階層では、１つ上位の階層の前記１つのグループに属する前記複数の産業機械が１つまたは複数の前記グループに属する、産業機械管理装置。
【請求項３】
請求項２に記載の産業機械管理装置であって、
前記階層に属する前記グループと、前記グループに属する前記産業機械とを対応付けて記憶する記憶部を有する、産業機械管理装置。
【請求項４】
請求項３に記載の産業機械管理装置であって、
前記記憶部は、前記産業機械の属性として、前記階層毎に前記産業機械が属する前記グループが登録された情報を記憶する、産業機械管理装置。
【請求項５】
請求項２〜４のいずれか１項に記載の産業機械管理装置であって、
前記複数の階層のうち、前記階層を選択する階層選択部を有し、
前記表示部は、前記階層選択部において選択された前記階層の前記グループ毎に前記管理情報を表示する、産業機械管理装置。
【請求項６】
請求項５に記載の産業機械管理装置であって、
前記階層選択部は、前記産業機械管理装置を操作する操作者の識別情報に基づいて、前記階層を選択する、産業機械管理装置。
【請求項７】
請求項１〜６のいずれか１項に記載の産業機械管理装置であって、
前記基準は、前記産業機械が設置される工場、前記産業機械が属するライン、前記産業機械の機種、前記産業機械の仕様、前記産業機械の種類、前記産業機械で使用される材料の種類、前記産業機械で製造される製造品の種類、前記産業機械を管理する管理者のうち、いずれか１つまたは複数を組み合わせたものである、産業機械管理装置。
【請求項８】
請求項１〜７のいずれか１項に記載の産業機械管理装置であって、
前記グループ選択部は、前記産業機械管理装置を操作する操作者の識別情報に基づいて、前記グループを選択する、産業機械管理装置。
【請求項９】
請求項１〜８のいずれか１項に記載の産業機械管理装置であって、
前記グループ毎に、前記表示部を有する、産業機械管理装置。
【請求項１０】
請求項１〜９のいずれか１項に記載の産業機械管理装置であって、
前記管理情報算出部は、前記管理情報として、前記グループに属する前記産業機械の全体の稼働率、前記グループに属する前記産業機械の消費電力の合計、前記グループに属する前記産業機械で使用された材料の量の合計、前記グループに属する前記産業機械で製造された製造品の個数の合計、前記グループに属する前記産業機械で製造された製造品の良品率もしくは不良品率、前記グループに属する前記産業機械で作業を行った作業員の作業時間の合計うち、少なくとも１つを算出する、産業機械管理装置。
【請求項１１】
請求項１〜１０のいずれか１項に記載の産業機械管理装置であって、
前記産業機械は、射出成形機である、産業機械管理装置。
【請求項１２】
請求項１または２に記載の産業機械管理装置を前記グループ毎に設けた、産業機械管理システム。
【手続補正４】
【補正対象書類名】図面
【補正対象項目名】図１５
【補正方法】変更
【補正の内容】
【図１５】
2018094888.tif 000018
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
複数の産業機械の管理を行う産業機械管理装置であって、
あらかじめ決められた基準によってグループに分類された前記複数の産業機械の単体の生産に関する情報に基づいて、前記グループに属する前記産業機械の全体の生産に関する情報の統計量を管理情報として算出する管理情報算出部と、
前記グループの前記管理情報を表示する表示部と、
前記グループを選択するグループ選択部と、
を有し、
前記複数の産業機械は、階層毎に異なる前記基準によってグループに分類され、
最上位の階層では、１つの前記グループにすべての前記複数の産業機械が属し、前記最上位の階層に対する下位の階層では、１つ上位の階層の前記１つのグループに属する前記複数の産業機械が１つまたは複数の前記グループに属し、
前記表示部は、前記グループ選択部において選択された前記グループの前記管理情報を表示する、産業機械管理装置。
【請求項２】
請求項１に記載の産業機械管理装置であって、
前記階層に属する前記グループと、前記グループに属する前記産業機械とを対応付けて記憶する記憶部を有する、産業機械管理装置。
【請求項３】
請求項２に記載の産業機械管理装置であって、
前記記憶部は、前記産業機械の属性として、前記階層毎に前記産業機械が属する前記グループが登録された情報を記憶する、産業機械管理装置。
【請求項４】
請求項１〜３のいずれか１項に記載の産業機械管理装置であって、
前記複数の階層のうち、前記階層を選択する階層選択部を有し、
前記表示部は、前記階層選択部において選択された前記階層の前記グループ毎に前記管理情報を表示する、産業機械管理装置。
【請求項５】
請求項４に記載の産業機械管理装置であって、
前記階層選択部は、前記産業機械管理装置を操作する操作者の識別情報に基づいて、前記階層を選択する、産業機械管理装置。
【請求項６】
請求項１〜５のいずれか１項に記載の産業機械管理装置であって、
前記基準は、前記産業機械が設置される工場、前記産業機械が属するライン、前記産業機械の機種、前記産業機械の仕様、前記産業機械の種類、前記産業機械で使用される材料の種類、前記産業機械で製造される製造品の種類、前記産業機械を管理する管理者のうち、いずれか１つまたは複数を組み合わせたものである、産業機械管理装置。
【請求項７】
請求項１〜６のいずれか１項に記載の産業機械管理装置であって、
前記グループ選択部は、前記産業機械管理装置を操作する操作者の識別情報に基づいて、前記グループを選択する、産業機械管理装置。
【請求項８】
請求項１〜７のいずれか１項に記載の産業機械管理装置であって、
前記グループ毎に、前記表示部を有する、産業機械管理装置。
【請求項９】
請求項１〜８のいずれか１項に記載の産業機械管理装置であって、
前記管理情報算出部は、前記管理情報として、前記グループに属する前記産業機械の全体の稼働率、前記グループに属する前記産業機械の消費電力の合計、前記グループに属する前記産業機械で使用された材料の量の合計、前記グループに属する前記産業機械で製造された製造品の個数の合計、前記グループに属する前記産業機械で製造された製造品の良品率もしくは不良品率、前記グループに属する前記産業機械で作業を行った作業員の作業時間の合計うち、少なくとも１つを算出する、産業機械管理装置。
【請求項１０】
請求項１〜９のいずれか１項に記載の産業機械管理装置であって、
前記産業機械は、射出成形機である、産業機械管理装置。
【請求項１１】
請求項１に記載の産業機械管理装置を前記グループ毎に設けた、産業機械管理システム。